(57)【要約】【課題】殺菌力、解毒作用などを有し、より安全且つ快適な使用ができる布を用いた衛生用品を提供する。【解決手段】ヘナ染布ハンカチタイプ２０は、ヘナを染料とした草木染で染められ肌に接するように形成されているヘナ染ハンカチ部２１を有する。ホルダー３０は、ホルダー肌面部３１とホルダー裏面部３２が一体的に形成され、ヘナ染布ハンカチタイプ２０が、ホルダー肌面部３１に固定されるように設けられた紐Ｈと、下着に固定されるように設けられたスナップＳを有する。ホルダー３０は、３つ折り、４つ折りなどの所定の大きさに折りたたまれたヘナ染布ハンカチタイプ２０が、紐Ｈを用いて固定されるように形成されており、ヘナ染ハンカチ部２１が肌に接するように用いられる。【選択図】図４
0003208286.tif 000002
【実用新案登録請求の範囲】
【請求項１】
布で形成された衛生用品であって、
前記布の全部または一部は、ヘナを染料とした草木染で染められていることを特徴とする衛生用品。
【請求項２】
前記布で形成された衛生用品は、生理用ナプキンであり、前記生理用ナプキンは、前記ヘナを染料とした草木染で染められているヘナ染布ナプキンであることを特徴とする請求項１に記載の衛生用品。
【請求項３】
前記ヘナ染布ナプキンは、前記ヘナを染料とした草木染で染められ肌に接するように形成されているヘナ染ライナー肌面部と、前記草木染がされていないライナー裏面部が、一体的になるように形成され、下着に固定されるようにスナップが設けられているおりもの用のヘナ染布ライナーであることを特徴とする請求項２に記載の衛生用品。
【請求項４】
前記ヘナ染布ナプキンは、前記ヘナを染料とした草木染で染められ肌に接するように形成されているヘナ染ハンカチ部と、前記草木染がされていない本体ハンカチ部が、一体的になるように形成されているヘナ染布ハンカチタイプであることを特徴とする請求項２に記載の衛生用品。
【請求項５】
前記ヘナ染布ナプキンは、一体的に形成されている布で形成されたホルダー肌面部と、布で形成されたホルダー裏面部と、前記ヘナ染布ハンカチタイプが前記ホルダー肌面部に固定されるように設けられた固定部材と、前記下着に固定されるように設けられたスナップを有するホルダーを有し、
前記ホルダーは、所定の大きさに折りたたまれた前記ヘナ染布ハンカチタイプが、前記固定部材を用いて前記ホルダー肌面部に固定され、前記ヘナ染ハンカチ部が前記肌に接するようにして用いられることを特徴とする請求項４に記載の衛生用品。
【請求項６】
前記ホルダーは、防水布部を有し、前記防水布部は、前記ホルダー肌面部と前記ホルダー裏面部と一体的になるように設けられていることを特徴とする請求項５に記載の衛生用品。
【請求項７】
前記ヘナ染布ハンカチタイプは、前記ヘナを染料とした草木染で染められ肌に接するように形成されているヘナ染布パッドであることを特徴とする請求項５または請求項６に記載の衛生用品。
【請求項８】
前記布は、コットン部材であることを特徴とする請求項１から請求項７のいずれか１項に記載の衛生用品。
【請求項９】
前記ヘナを染料とした草木染めは、前記ヘナに加えローソンを染料として用いることを特徴とする請求項１から請求項８のいずれか１項に記載の衛生用品。
【考案の詳細な説明】
【技術分野】
【０００１】
本考案は、衛生用品に関する。
【背景技術】
【０００２】
生理用ナプキン、生理帯、包帯、おむつ、おむつライナー、おむつカバー、おしりふき、ガーゼ、おくるみ、生理用パンティー、衛生マスク、胸当てパッド、母乳パッド、衛生用品ポーチ、スタイなどの衛生用品において、部材として布を用いることが一般的となっている。
【０００３】
特に、生理用ナプキンにおいて部材として布を用いた布ナプキンは、再利用ができること、肌に触れる部分にやさしくかぶれなどが起きにくいことなどで普及している（特許文献参照）。
【先行技術文献】
【特許文献】
【０００４】
【特許文献１】特開２００１−３５３１８２号公報
【特許文献２】特開２００４−３３７２０４号公報
【特許文献３】特開２００６−３１１９１１号公報
【考案の概要】
【考案が解決しようとする課題】
【０００５】
上記のとおり、生理用ナプキンなどの衛生用品の部材は、布が用いられることもあるが、布を用いた布ナプキンなどの衛生用品において、より効果的な殺菌力、解毒作用などを有することで、より安全且つ快適に使用できるものが求められている。
【０００６】
本考案は、こうした点に鑑みてなされたものであり、殺菌力、解毒機能などを有し、より安全且つ快適な使用ができる布を用いた衛生用品を提供する。
【課題を解決するための手段】
【０００７】
上記課題を解決するために、本考案に係る衛生用品は、布で形成された衛生用品であって、前記布の全部または一部は、ヘナを染料とした草木染で染められていることを特徴とする。
【０００８】
本考案に係る衛生用品の態様について、前記布で形成された衛生用品は、生理用ナプキンであり、前記生理用ナプキンは、前記ヘナを染料とした草木染で染められているヘナ染布ナプキンであることが好ましい。
【０００９】
本考案に係る衛生用品の態様について、前記ヘナ染布ナプキンは、前記ヘナを染料とした草木染で染められ肌に接するように形成されているヘナ染ライナー肌面部と、前記草木染がされていないライナー裏面部が、一体的になるように形成され、下着に固定されるようにスナップが設けられているおりもの用のヘナ染布ライナーであることが好ましい。
【００１０】
本考案に係る衛生用品の態様について、前記ヘナ染布ナプキンは、前記ヘナを染料とした草木染で染められ肌に接するように形成されているヘナ染ハンカチ部と、前記草木染がされていない本体ハンカチ部が、一体的になるように形成されているヘナ染布ハンカチタイプであることが好ましい。
【００１１】
本考案に係る衛生用品の態様について、前記ヘナ染布ナプキンは、一体的に形成されている布で形成されたホルダー肌面部と布で形成されたホルダー裏面部と、前記ヘナ染布ハンカチタイプが前記ホルダー肌面部に固定されるように設けられた固定部材と、前記下着に固定されるように設けられたスナップを有するホルダーを有し、前記ホルダーは、所定の大きさに折りたたまれた前記ヘナ染布ハンカチタイプが、前記固定部材を用いて前記ホルダー肌面部に固定され、前記ヘナ染ハンカチ部が前記肌に接するようにして用いられることが好ましい。
【００１２】
本考案に係る衛生用品の態様について、前記ホルダーは、防水布部を有し、前記防水布部は、前記ホルダー肌面部と前記ホルダー裏面部と一体的になるように設けられていることが好ましい。
【００１３】
本考案に係る衛生用品の態様について、前記ヘナ染布ハンカチタイプは、前記ヘナを染料とした草木染で染められ肌に接するように形成されているヘナ染布パッドであることが好ましい。
【００１４】
本考案に係る衛生用品の態様について、前記布は、コットン部材であることが好ましい。
【００１５】
本考案に係る衛生用品の態様について、前記ヘナを染料とした草木染めは、前記ヘナに加えローソンを染料として用いることが好ましい。
【考案の効果】
【００１６】
本考案は、こうした点に鑑みてなされたものであり、殺菌力、解毒機能などを有し、より安全且つ快適な使用ができる布を用いた衛生用品を提供することができる。
【図面の簡単な説明】
【００１７】
【図１】実施形態のヘナ染布ナプキンの一例を示す模式図である。
【図２】実施形態のヘナ染布ナプキンの他の一例を示す模式図である。
【図３】ヘナ染布ナプキンに用いるホルダーの一例を示す模式図である。
【図４】ヘナ染布ナプキンとホルダーを用いた一例を示す模式図である。
【考案を実施するための形態】
【００１８】
以下、本考案の実施形態を図１から図４を用いて説明する。なお、本考案の衛生用品は上記のとおり生理用ナプキン、生理帯、包帯、おむつ、おむつライナー、おむつカバー、おしりふき、ガーゼ、おくるみ、生理用パンティー、衛生マスク、胸当てパッド、母乳パッド、衛生用品ポーチ、スタイなどであるが、本実施形態では、上記の生理用ナプキンの一例としてヘナ染布ナプキンについて説明する。
【００１９】
実施形態のヘナ染布ナプキンは、布で形成された衛生用品の一例であって、布の全部または一部が、ヘナを染料とした草木染で染められている生理用ナプキンである。なお、草木染は、合成染料（化学染料）を用いた染色ではなく、天然染料を用いた染色である。
【００２０】
実施形態で用いるヘナは、ミソハギ科の植物であるヘナまたはヘンナと呼ばれる植物であり、例えばこの植物ヘナの葉を粉にして化学的薬剤の入っていない自然の染料として使用できるものであり、このヘナの染料を用いて布の一例であるオーガニックコットンなどのコットン部材を草木染で染めることでヘナ染布ナプキンが形成される。ヘナ染コットン部材などの形成方法は、周知技術である草木染の技術によるものであり、ここでは詳細な説明を省略する。
【００２１】
また、この例においては、１００％天然染料だけの染色方法にて天然１００％、つまり１００％のヘナの葉だけを厳選した最高級ナチュラルヘナでオーガニックコットンネルを染めた生地を使用しているが、これに限定されず生地は、例えばシルクを用いてもよい。なお、ヘナは、世界最古のアーユルウェーダで、薬草として色々な目的で愛用され、また、ヘナは、血行、新陳代謝を促進し体に溜まった老廃物を排出する働きが認められている。そしてインドでは富と吉祥の女神ラクシュミーの好んだ愛と幸福のエネルギーをもつ薬草として親しまれている。
【００２２】
図１に示すヘナ染布ライナー１０は、おりもの用に用いられるヘナ染布ナプキンの一例であり、図１（ａ）から図１（ｃ）が示すように、ヘナを染料とした草木染で染められ肌に接するように形成されているヘナ染ライナー肌面部１１と、草木染がされていないライナー裏面部１２が、一体的になるように形成されており、例えば人体や地球環境に有害な化学薬品などを使用せずに紡績されたオーガニックコットン１００％の縫い糸を用いて、例えばロック仕上げで縫い合わせて一体的にしてもよい。また、下着に固定されるように複数のスナップＳが設けられており、このスナップＳはプラスチックスナップを用いるとよいがこれに限定されない。
【００２３】
図２に示すヘナ染布ハンカチタイプ２０は、生理用に用いられるヘナ染布ナプキンの他の一例であり、図２（ａ）から図２（ｅ）が示すように、ヘナを染料とした草木染で染められ肌に接するように形成されているヘナ染ハンカチ部２１と、草木染がされていない本体ハンカチ部２２が、一体的になるように形成されている。これらの図が示すヘナ染布ハンカチタイプ２０は、例えば縦約２０ｃｍ、横約２２ｃｍのＭサイズ及び縦約３１ｃｍ、横約２５ｃｍのＬサイズであるとよいが、これに限定されない。
【００２４】
図３（ａ）から図３（ｃ）に示すように、ホルダー３０は、布を用いたホルダー肌面部３１と布を用いたホルダー裏面部３２が一体的に形成されている。またホルダー３０は、ヘナ染布ハンカチタイプ２０が、ホルダー肌面部３１に固定されるように設けられた固定部材の一例である紐Ｈと、下着に固定されるように設けられたスナップＳを有する。なお、この例において、固定部材は、オーガニックコットン１００％のリボンを使用した紐Ｈを用いるとよいがこれに限定されない。
【００２５】
図４は、ヘナ染布ハンカチタイプ２０がホルダー３０に装着された状態を示している。図４（ａ），（ｂ）に示すように、ホルダー３０は、３つ折り、４つ折りなどの所定の大きさに折りたたまれたヘナ染布ハンカチタイプ２０が、ホルダー肌面部３１に紐Ｈを用いて固定されるように形成されており、ヘナ染ハンカチ部２１が肌に接するようにして用いられるように構成されている。
【００２６】
この例において、ホルダー３０に設けられている紐Ｈは、ホルダー裏面部３２に設けられ、この紐Ｈを対向するホルダー肌面部３１に、ひっくり返すことでヘナ染布ハンカチタイプ２０を、ホルダー３０に挟み重ねて留めることができるようにしてもよい。
【００２７】
また、ホルダー３０は、防水布部３３を有してもよく、この防水布部３３は、ホルダー肌面部３１とホルダー裏面部３２と一体的になるように設けられている。実施形態においては、防水布部３３は、図３（ｃ）に示すようにホルダー肌面部３１とホルダー裏面部３２の間に設けられているが、これに限定されず、例えば防水部３３がホルダー裏面部３２に接するように設けられていてもよい。なお、防水布部３３は、水は防ぐが汗などの湿気は通す透湿防水布を使用するとよく、例えばポリエステル天竺と透湿ポリウレタンフィルムを貼り合わせた生地であり、このポリエステル天竺は素早く水分を広げ、透湿ポリウレタンフィルムは蒸れることなく水分が漏れることを防ぐという効果がある。
【００２８】
実施形態においては、ヘナ染布ハンカチタイプ２０が、ホルダー３０とともに用いられる構成であるが、これに限定されず、例えばヘナ染布ハンカチタイプ２０の代わりに、ヘナを染料とした草木染で染められ肌に接するように形成されているヘナ染布パッドを用いてホルダー３０とともに使用してもよい。またホルダー３０は、ホルダー肌面部３１を、ヘナを用いた草木染で染めることでヘナ染布ナプキンとして使用できるようにしてもよい。
【００２９】
上記のヘナ染ナプキンに用いる布は、一例としてコットン部材であり、このコットン部材は、オーガニックコットンであってもよい。また、オーガニック両面ネルであってもよく、つまり両面ソフト起毛のオーガニックコットン生地は、少し薄手の滑らかな風合いと柔らかで肌触りのよい生地であってもよい。このようなオーガニックコットン生地は、無農薬有機栽培コットンの自然素材で綿花の持つ優しい肌触りや軽さが魅力となっている。
【００３０】
実施形態のヘナ染ナプキンは、上記のとおりヘナを染料とした草木染めで染色されているが、このヘナにローソンを染料としてさらに加えてもよい。すなわち、ヘナの染色成分はローソンであるが、ヘナ以外の例えばリフネソウやマクレナイノキから得られる赤橙色の染料材であるローソンをさらに加えることでより殺菌や除菌を強固に行うことができる。
【００３１】
また、実施形態のヘナ染布ナプキンは、例えばオーガニックコットン１００％のテープを使用したタグを貼り付けてもよい。
【００３２】
実施形態のヘナ染布ナプキンは、布の全部または一部が、ヘナを染料とした草木染で染められている生理用ナプキンであり、すなわち、肌に接する部分がヘナによる草木染で施され除菌効果や解毒作用を有する構成となっている。このような構成を有するヘナ染布ナプキンを用いることで、健康を維持し違和感なく使用することができ生活をより快適なものにすることができる。
【００３３】
上記のような特徴を有するヘナ染布ナプキンに用いられるヘナは、体内不調と毒素の浄化、更年期障害やＰＭＳ（月経前症候群）を緩和し、子宮の働きを整える他、リラックス、消炎、抗菌、防臭の効果を有している。また、体内を浄化する役割である肝臓において、ヘナの中にあるローソン（ローソニアアルバ）と呼ばれる成分が、肝臓の毒素排出を助けるという科学者による論文が発表されている。さらに、ヘナの葉っぱにあるナフトキノンという成分は、子宮の働きや生理不順を整える効果を有するという論文が発表されている。そして、上記のローソニアアルバという成分は、睡眠を深くする効果がありリラックス効果が期待できる。また、ある地域においてヘナは、昔から皮膚の炎症を抑える消炎、殺菌を目的とする薬草として使われている。
【００３４】
上記のとおり、実施形態のヘナ染布ナプキンは、本考案の衛生用品の一例として説明しているが、これに限定されず、例えば、おむつ、衛生マスクなどにおいて肌と接する布にヘナ染を施したものであってもよい。
【００３５】
以上、本考案の有する特徴及び優れた点を上記実施形態に記載したが、本考案は、本願の実用新案登録請求の範囲で使用されている言葉を広く一般的な意味に拡張して実施することができる。
【００３６】
また、ヘナ染布ナプキンを含む衛生用品の種類、大きさや形状、素材の種類、厚さ、重さなどについては多様な実施形態が可能であり、それらについて本実施形態と異なる形態による実施は、本考案の技術的範囲に含まれる。
【符号の説明】
【００３７】
１０    ヘナ染布ライナー
１１    ヘナ染ライナー肌面部
１２    ライナー裏面部
２０    ヘナ染布ハンカチタイプ
２１    ヘナ染ハンカチ部
２２    本体ハンカチ部
３０    ホルダー
３１    ホルダー肌面部
３２    ホルダー裏面部
３３    防水布部
Ｓ      スナップ
Ｈ      紐
【図１】
0003208286.tif 000003
【図２】
0003208286.tif 000004
【図３】
0003208286.tif 000005
【図４】
0003208286.tif 000006
【手続補正書】
【提出日】平成28年11月2日(2016.11.2)
【手続補正１】
【補正対象書類名】実用新案登録請求の範囲
【補正対象項目名】全文
【補正方法】変更
【補正の内容】
【実用新案登録請求の範囲】
【請求項１】
布で形成された衛生用品であって、
前記布の全部または一部は、ヘナを染料とした草木染で染められており、
前記布で形成された衛生用品は、ヘナ染布ナプキンであり、前記ヘナ染布ナプキンは、前記ヘナを染料とした草木染で染められ肌に接するように形成されているヘナ染ライナー肌面部と、前記草木染がされていないライナー裏面部が、一体的になるように形成され、下着に固定されるようにスナップが設けられているおりもの用のヘナ染布ライナーであることを特徴とする衛生用品。
【請求項２】
前記布は、コットン部材であることを特徴とする請求項１に記載の衛生用品。
【請求項３】
前記ヘナを染料とした草木染めは、前記ヘナに加えローソンを染料として用いることを特徴とする請求項１または請求項２に記載の衛生用品。
【請求項４】
布で形成された衛生用品であって、
前記布の全部または一部は、ヘナを染料とした草木染で染められており、
前記布で形成された衛生用品は、ヘナ染布ナプキンであり、前記ヘナ染布ナプキンは、前記ヘナを染料とした草木染で染められ肌に接するように形成されているヘナ染ハンカチ部と、前記草木染がされていない本体ハンカチ部が、一体的になるように形成されているヘナ染布ハンカチタイプであることを特徴とする衛生用品。
【請求項５】
前記ヘナ染布ナプキンは、一体的に形成されている布で形成されたホルダー肌面部と、布で形成されたホルダー裏面部と、前記ヘナ染布ハンカチタイプが前記ホルダー肌面部に固定されるように設けられた固定部材と、下着に固定されるように設けられたスナップを有するホルダーを有し、
前記ホルダーは、所定の大きさに折りたたまれた前記ヘナ染布ハンカチタイプが、前記固定部材を用いて前記ホルダー肌面部に固定され、前記ヘナ染ハンカチ部が前記肌に接するようにして用いられることを特徴とする請求項４に記載の衛生用品。
【請求項６】
前記ホルダーは、防水布部を有し、前記防水布部は、前記ホルダー肌面部と前記ホルダー裏面部と一体的になるように設けられていることを特徴とする請求項５に記載の衛生用品。
【請求項７】
前記ヘナ染布ハンカチタイプは、前記ヘナを染料とした草木染で染められ肌に接するように形成されているヘナ染布パッドであることを特徴とする請求項５または請求項６に記載の衛生用品。
【請求項８】
前記布は、コットン部材であることを特徴とする請求項４から請求項７のいずれか１項に記載の衛生用品。
【請求項９】
前記ヘナを染料とした草木染めは、前記ヘナに加えローソンを染料として用いることを特徴とする請求項４から請求項８のいずれか１項に記載の衛生用品。